(57)【要約】【課題】  ＬＥＤで発生された熱が基板から取付板に伝導し、放熱効果を向上させる。【解決手段】  ＬＥＤ１０が実装された基板１３と；基板１３が取り付けられる器具本体１１と；基板１３の二長辺における側部の少なくとも一部を覆う押板２０と；押板２０により基板１３を器具本体１１側に押圧した状態で、器具本体１１に押板２０を取付ける取付部材としてのネジとを具備する。【選択図】  図１
2010073670.tif 000002
【特許請求の範囲】
【請求項１】
器具本体と；
ＬＥＤが実装された基板と；
基板が取り付けられる取付板と；
基板の二長辺における側部の少なくとも一部を覆う押板と；
押板により基板を取付板側に押圧した状態で、取付板に押板を取付ける取付部材と
を具備することを特徴とするＬＥＤ照明器具。
【請求項２】
器具本体と；
ＬＥＤが実装された基板と；
基板が取り付けられる取付板と；
基板及びＬＥＤを覆う長尺状のカバーと；
カバーにおける長手方向の両端部をそれぞれ把持する端部把持体と；
カバーにおける二長辺の１または複数箇所において、カバーの上下方向への撓みを規制するようにカバーを支持する支持手段と
を具備することを特徴とするＬＥＤ照明器具。
【請求項３】
支持手段は、カバーを支持する支持位置と、カバーの長辺から外れた支持不能な退避位置との間を移動する移動機構を備えていることを特徴とする請求項２に記載のＬＥＤ照明器具。
【発明の詳細な説明】
【技術分野】
【０００１】
この発明は、ＬＥＤが実装された基板と、この基板が取り付けられる取付板とを備えるＬＥＤ照明器具に関するものである。
【背景技術】
【０００２】
従来のＬＥＤ照明器具にあっては、ＬＥＤが実装された基板を放熱機能を備えるヒートシンクにネジにより固定している。また、ＬＥＤ部分に塵埃などが付着するなどの防止を目的として、また射出光の散乱などを目的として、ＬＥＤの前方にレンズなどを含んだ枠状のカバーが配置された構成が採られている（特許文献１参照）。
【特許文献１】特開２００７−２２０４６５号公報
【０００３】
上記の特許文献１に記載のものは、円形の表面を有する照明器具である。これに対し、蛍光灯形のＬＥＤ照明器具においても、図１に示されているように特許文献１ものと同様な構成を有していた。つまり、放熱板の機能を有する器具本体１１の中央部に形成された溝状の天板部１２に、複数のＬＥＤ１０が一列に並べられて実装され、適宜な位置に穴１５が穿設された短冊状の基板１３を配置する。天板部１２に形成されたネジ穴１６と、基板１３の穴１５を一致させて、ネジ１４により基板１３を天板部１２に固定して取付けを行っている。
【０００４】
また、カバーについては、上記器具本体１１の端部における表面側に枠体を設け、ＬＥＤ１０が実装された基板１３の表面側を覆うような構成のものであり、上記特許文献１に開示されたように、ＬＥＤ１０が実装された基板１３の前方に突出する構造が採用されていた。
【０００５】
しかしながら、上記従来のＬＥＤ照明器具によれば、天板部１２の表面に僅かな凹凸や反りが存在している場合には、基板１３の裏面が天板部１２の表面と密着することなく、空気層ができ、ＬＥＤ１０により発生された熱が器具本体１１に伝導し難くなり、高熱によるＬＥＤ１０の早期劣化や故障発生などが招来されるものであった。
【０００６】
また、カバーについては、枠体が用いられてＬＥＤ１０が実装された基板１３の前方に突出する構造であり、照明器具の小型化を疎外する要因となっていた。また、カバーを構成する部品が極めて多く、コスト高を招く問題もあった。
【発明の開示】
【発明が解決しようとする課題】
【０００７】
本発明は上記のような従来のＬＥＤ照明器具が有している問題点を解決せんとしてなされたもので、その目的は、ＬＥＤにより発生された熱が基板から取付板に的確に伝導し、放熱効果を確実に向上させることが可能な照明器具を提供することである。また、カバーの取付機構を簡素化及び小型化し、従来に比べて小型で安価なＬＥＤ照明器具を提供することを目的とする。
【課題を解決するための手段】
【０００８】
本発明に係るＬＥＤ照明器具は、器具本体と；ＬＥＤが実装された基板と；基板が取り付けられる取付板と；基板の二長辺における側部の少なくとも一部を覆う押板と；押板により基板を取付板側に押圧した状態で、取付板に押板を取付ける取付部材とを具備することを特徴とする。
【０００９】
取付板は、反射板や器具本体に存在することを許容する。押板は鉄などの熱伝導性の良好な金属により構成される。基板の二長辺における側部の少なくとも一部を覆う押板とは、押板の全てが基板に重なった状態を含む。押板は、基板の二長辺に対向するように配置されても良いし、千鳥状に互い違いに配置されても良い。取付部材としては、通常、ネジが用いられる。
【００１０】
本発明に係るＬＥＤ照明器具は、器具本体と；ＬＥＤが実装された基板と；基板が取り付けられる取付板と；基板及びＬＥＤを覆う長尺状のカバーと；カバーにおける長手方向の両端部をそれぞれ把持する端部把持体と；カバーにおける二長辺の１または複数箇所において、カバーの上下方向への撓みを規制するようにカバーを支持する支持手段とを具備することを特徴とする。
【００１１】
本発明に係るＬＥＤ照明器具では、支持手段は、カバーを支持する支持位置と、カバーの長辺から外れた支持不能な退避位置との間を移動する移動機構を備えていることを特徴とする。
【発明の効果】
【００１２】
本発明に係るＬＥＤ照明器具によれば、押板により基板を取付板側に押圧した状態が現出されるので、基板と取付板が密着し、ＬＥＤにより発生した熱が基板から取付板へと伝達し、放熱効果を向上させることができる。
【００１３】
本発明に係るＬＥＤ照明器具によれば、端部把持体によってカバーにおける長手方向の両端部がそれぞれ把持され、支持手段によりカバーにおける二長辺の１または複数箇所において、カバーの上下方向への撓みを規制するようにカバーが支持されるので、簡単な構成によりカバーを把持し、カバーの上下方向への撓みが規制される。
【００１４】
本発明に係るＬＥＤ照明器具によれば、支持手段が、カバーを支持する支持位置と、カバーの長辺から外れた支持不能な退避位置との間を移動する移動機構を備えているので、カバーを取り外しての点検修理などの場合に便利であり、また、カバーを適切な位置に位置決めする場合に有効である。
【発明を実施するための最良の形態】
【００１５】
以下添付図面を参照して、本発明に係るＬＥＤ照明器具の実施例を説明する。各図において同一の構成要素には、同一の符号を付して重複する説明を省略する。実施例に係るＬＥＤ照明器具は、図２に示されるように、器具本体１１を備える。器具本体１１はアルミニウム製の押出し材であり、側方向から見ると底辺を除いた台形形状を有している。坂を形成する側板部１１Ａと、天板部１２の両側に添うように存在する平面部１２Ａとを有する。器具本体１１の天板部１２には、例えば三条の溝１６が長尺方向に延びるように形成されている。
【００１６】
器具本体１１の中央部に形成された溝状の天板部１２に、複数のＬＥＤ１０が一列に並べられて実装され、適宜な位置に穴１５が穿設された短冊状の基板１３を配置する。所要位置の穴１５にネジ１４を挿入し、三条の中の中央に形成された溝１６にネジ１４を食い込ませるように螺合して基板１３を固定する。
【００１７】
本実施例では、図３に示すように、器具本体１１における長手方向寸法の１／３程度の長手方向寸法を有する押板２０を用いる。この押板２０は、基板１３の二長辺における側部の少なくとも一部を覆うように設けられる。つまり、押板２０の貫通穴２１と、天板１２における三条の中の外側に形成された溝１６とを位置合わせすると、押板２０の一部が基板１３の二長辺における側部に重なるように、押板２０の大きさ及び貫通穴２１の位置が設定されて構成されている。貫通穴２１にネジ２２を挿入し、溝１６にネジ２２を食い込ませるように螺合して押板２０を固定する。
【００１８】
ネジ２２を締め付けるに伴って、押板２０が基板１３を取付板である天板１２側に押圧する。これにより、基板１３と天板１２との密着が図られる。本実施例では、二枚の押板２０を、基板１３を挟んだ対向位置に配置して基板１３を天板１２側に押圧するようにしている。基板１３が複数用いられている場合には、全ての基板１３について同様の構成を採用する。
【００１９】
特に、長尺状の基板１３は、基板１３の中央側をネジ止めすると共に二長辺の側部を被取付部に押し付けるように固定することによって、基板１３と天板１２との密着が高まることが分ってきた。また、基板１３を平面部１２Ａから一段下がった天板部１２に配設するので、器具本体１１の外側に押板２０が配設されることがない。また、押板２０が平面部１２Ａによって所定角度以上からは視認されず、外観が悪化することがない。
【００２０】
上記において、ネジ２２と溝１６とは、押板２０により基板１３を取付板である天板１２側に押圧した状態で、取付板に押板を取付ける取付部材を構成する。ＬＥＤ１０により発生された熱は基板１３から天板１２及び器具本体１１全体へと広がり放熱を確実にすることができる。
【００２１】
上記のような構成を採用したＬＥＤ照明器具に対して、或いは図１に示したような構成のＬＥＤ照明器具に対して、図４に示すように、基板１３及びＬＥＤ１０を覆う長尺状のカバー３０を取り付けたＬＥＤ照明器具が第２の実施例である。カバー３０は、例えば半透明の耐熱性樹脂により構成することができる。
【００２２】
カバー３０における長手方向の両端部は、ほぼ立方体状の端部把持体３１により、それぞれ把持される。図５、図６に示すように端部把持体３１における一側面の中央部には、水平方向に延びる溝３２が形成されている。溝３２は、端部把持体３１の中心程度までの深さを有し、幅はカバー３０の厚みより僅かに広く構成されている。カバー３０の端部が溝３２に差し込まれて把持されるもので、カバー３０の端部は固定されない。
【００２３】
端部把持体３１は、天板１２における長手方向の両端部に平面部１２Ａよりも突出しない寸法で配置され、配置された状態において表面側から裏面側へ貫通した貫通孔３３が穿設されている。ＬＥＤ照明器具は図５に示されるように、器具本体１１の裏面側に、天板４１の二長辺部分が天板４１からほぼ直角に下方に折り曲げられて側板４２とされた器具筐体４０を備えるものである。器具筐体４０には安定器４３を含む点灯回路が備えられ、ＬＥＤ１０へ給電がなされてＬＥＤ１０が点灯させられる。
【００２４】
器具筐体４０の天板４１における長手方向の両端部には、天板４１と固着する二本の脚部の先端にネジ穴４４が形成された平板を備える固定片４５が備えられている。端部把持体３１の貫通孔３３、器具本体１１の天板１２における長手方向の両端部に形成された貫通孔１７が位置合わせされて、ネジ３４により器具本体１１と器具筐体４０が一体化されて、ＬＥＤ照明器具が構成される。端部把持体３１には図６に示されるように、天板１２に接する側からネジ穴が形成されており、器具本体１１の裏面側からネジ３５が端部把持体３１のネジ穴に螺合され、端部把持体３１が器具本体１１に固定されている。
【００２５】
図４に示すように、カバー３０における二長辺の中部には、カバー３０の上下方向への撓みを規制するようにカバー３０を支持する支持手段６０が設けられている。支持手段６０は、ここでは対向する二か所に設けられているが、１または複数箇所に設けられる。図６〜図７に示すように、支持手段６０は、器具本体１１の平面部１２Ａに形成された長穴６１、この長穴６１に設けられたネジ６２、ネジ６２が螺合する支持体６３、支持体６３が天板１２の上部空間に出入りするための透通孔６４を主な構成要素としている。
【００２６】
支持体６３は、上側の第１支持板６５と第２支持板６６の間に、カバー３０とほぼ同程度の厚みを有するスペーサ６７が挟持されて一体化されたものである。ネジ６２が緩められた状態では、ネジ６２を長穴６１に沿って図７（ｂ）の矢印Ｘの両方向へ摺動可能とされる。このように、支持手段６０は、カバー３０を支持する図７（ａ）のような支持位置と、カバー３０の長辺から外れた支持不能な図７（ｂ）のような退避位置との間を移動する移動機構を備えている。
【００２７】
そして、図７（ａ）に示すように、第１支持板６５の先端と第２支持板６６の先端間に適切にカバー３０が挿入された状態で、ネジ６２が締め付けられる。これによって、支持体６３の頭部が透通孔６４の枠上辺に当接して支持体６３を固定することができる。通常は、カバー３０が床と対向するようにＬＥＤ照明器具が設置される。このとき、支持手段６０によって、カバー３０の上下方向への撓みを規制するようにカバー３０を支持することができ、カバー３０が端部把持体３１から外れて落下したり、カバー３０が撓んだ側部からＬＥＤ１０の射出光が不要方向へ射出されるなどの事態を防ぐことができる。
【００２８】
また、端部把持体３１及びカバー３０が平面部１２Ａよりも突出しないため、平面部１２Ａが下方へ向いた状態で器具本体１１を地面に置いても、カバー３０は地面に触れることがなく、カバー３０の破損や汚損を防ぐことができる。更に、カバー３０は天板１２から所定の間隔を有して保持されるため、基板１３を押圧する押板２０とカバー３０とが干渉することがない。このように、基板１３、押板２０、カバー３０、端部把持体３１を平面部１２Ａよりも突出しない位置関係で器具本体１１に配設したので、器具本体１１を地面等に置いたときに、これらの破損及び汚損を防止することができる。
【図面の簡単な説明】
【００２９】
【図１】従来のＬＥＤ照明器具の要部構成を示す斜視図。
【図２】本発明の第１の実施例に係るＬＥＤ照明器具の要部構成を示す斜視図。
【図３】本発明の第１の実施例に係るＬＥＤ照明器具の要部の平面図。
【図４】本発明の第２の実施例に係るＬＥＤ照明器具の構成を示す斜視図。
【図５】本発明の第２の実施例に係るＬＥＤ照明器具の構成を示す分解斜視図。
【図６】本発明の第２の実施例に係るＬＥＤ照明器具の要部構成を示す斜視図。
【図７】本発明の第２の実施例に係るＬＥＤ照明器具の要部の断面図。
【符号の説明】
【００３０】
１０  ＬＥＤ
１１  器具本体
１３  基板
１６  溝
２０  押板
３０  カバー
３１  端部把持体
６０  支持手段
６３  支持体
【図１】
2010073670.tif 000003
【図２】
2010073670.tif 000004
【図３】
2010073670.tif 000005
【図４】
2010073670.tif 000006
【図５】
2010073670.tif 000007
【図６】
2010073670.tif 000008
【図７】
2010073670.tif 000009